(57)【要約】【課題】コントラストが高く、高輝度であって映り込みのない画像を得ることができる反射スクリーンを提供する。【解決手段】単位プリズム形状１２の裏面と、反射層１５との間に間隔をあける間隔設定層１４を設けた。間隔設定層１４は、透明又は半透明の樹脂であり、光の透過率は４０％以上のものとした。このような形態の反射スクリーン１０とすることにより、単位プリズム形状１２と光吸収部１３との境界面で全反射する等して反射層１５に到達した外光は、反射層１５で反射され、光吸収部１３に吸収される。従って、コントラストを向上させ、高輝度であり、映り込みのない映像を得ることができる。【選択図】図３
2007241263.tif 000002
【特許請求の範囲】
【請求項１】
映像源から投影された映像光を反射させて観察可能にする反射スクリーンであって、
スクリーン面に対して直交する断面において、裏面側における幅よりも観察面側における幅の方が広い略台形形状であり、スクリーン面に沿って多数並べて形成され、光を透過可能な単位プリズム形状と、
前記断面において、スクリーン面に沿って前記単位プリズム形状と交互に形成され、光を吸収する光吸収部と、
前記単位プリズム形状よりも裏面側に、前記単位プリズム形状の裏面とは間隔をあけて設けられ、前記単位プリズム形状を透過した映像光を反射する反射層と、
を備えた反射スクリーン。
【請求項２】
請求項１に記載の反射スクリーンにおいて、
前記反射層と前記単位プリズム形状の裏面との間に、光を透過可能であり、前記反射層と前記単位プリズム形状の裏面とを所定の間隔をあける間隔設定層を有すること、
を備えた反射スクリーン。
【請求項３】
請求項２に記載の反射スクリーンにおいて、
前記間隔設定層は、光の透過率が４０％以上であること、
を特徴とする反射スクリーン。
【請求項４】
請求項２又は請求項３に記載の反射スクリーンにおいて、
前記間隔設定層は、透明又は半透明の樹脂を用いて形成されること、
を特徴とする反射スクリーン。
【請求項５】
請求項２から請求項４までのいずれか１項に記載の反射スクリーンにおいて、
前記間隔設定層の屈折率は、前記単位プリズム形状の屈折率よりも小さいこと、
を特徴とする反射スクリーン。
【請求項６】
請求項１から請求項５までのいずれか１項に記載の反射スクリーンにおいて、
前記光吸収部は、前記単位プリズム形状よりも屈折率が小さいこと、
を特徴とする反射スクリーン。
【請求項７】
請求項１から請求項６までのいずれか１項に記載の反射スクリーンにおいて、
前記光吸収部は、光を吸収する微小ビーズを含むこと、
を特徴とする反射スクリーン。
【請求項８】
請求項７に記載の反射スクリーンにおいて、
前記光吸収部は、前記単位プリズム形状を形成する材料の屈折率よりも屈折率が低い樹脂に前記微小ビーズを混練することにより形成されていること、
を特徴とする反射スクリーン。
【請求項９】
請求項１から請求項８までのいずれか１項に記載の反射スクリーンにおいて、
前記反射層は、反射性塗料を用いて形成されていること、
を特徴とする反射スクリーン。
【請求項１０】
請求項１から請求項９までのいずれか１項に記載の反射スクリーンにおいて、
前記反射層は、シート状の部材を用いて形成されていること、
を特徴とする反射スクリーン。
【請求項１１】
請求項１から請求項１０までのいずれか１項に記載の反射スクリーンにおいて、
前記観察面側の表面には、アンチグレア処理、反射防止処理、帯電防止処理、ハードコート処理、防汚処理の少なくとも１つの処理が施されていること、
を特徴とする反射スクリーン。
【発明の詳細な説明】
【技術分野】
【０００１】
本発明は、前方の映像源から投影された映像光を反射させて観察可能とする反射スクリーンに関するものである。
【背景技術】
【０００２】
従来、この種の反射スクリーンは、透明シートの前面側（観察面側）に光透過拡散層、背面側に光反射用のリニアフレネルレンズ面が設けられたものが知られていた（例えば、特許文献１）。また、特許文献２には、外光によるコントラストの低下を抑え、好適な視野角を得ることを可能にする反射スクリーンの構成が開示されている。さらに、特許文献３には、レンチキュラーレンズと、反射部を設けた裏面にレンチキュラーレンズの配列方向と直交する方向に配列されたリニアフレネルレンズとの組み合わせによる反射スクリーンについて記載されている。
【０００３】
しかし、上述の反射スクリーンは、照明が点いた部屋では、映像が見難く、日中の屋外等で使用することができなかった。
また、よりコントラストの高い画像を得たいという要求、及び、投影側光源の光量が少ない場合であっても、できる限り高輝度な画像を得たいという要求があった。さらに、高輝度な画像を得られた場合であっても、不要な映り込みを排除することは、常に要求されることである。
さらに、上述した従来の反射スクリーンでは、その製造工程が複雑になり、結果として製造コストが高くなるという問題があった。
【０００４】
また、特許文献４には、斜め前方（観察者側）から投射した光を反射させて観察する反射スクリーンに関し、断面が鋸歯状のスクリーン面に反射面と光吸収面とを形成し、映像光及び外光が到達する面を作り分けた反射スクリーンが開示されている。
しかし、特許文献４に記載の反射スクリーンでは、断面が鋸歯状のスクリーン面に反射面と光吸収面とを明確に分けて製造する必要があるが、鋸歯状の山の一方を反射面とし、他方を光吸収面として作り分けることは、困難であって、製造単価が高くなってしまうという問題があった。
【特許文献１】特開平８−２９８７５号公報
【特許文献２】特開平１０−６２８７０号公報
【特許文献３】特開２００２−３１１５０７号公報
【特許文献４】特開平２−２６２１３４号公報
【発明の開示】
【発明が解決しようとする課題】
【０００５】
本発明の課題は、コントラストが高く、高輝度であって、映り込みのない鮮明な画像を得ることができる反射スクリーンを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、映像源（Ｌ）から投影された映像光を反射させて観察可能にする反射スクリーンであって、スクリーン面に対して直交する断面において、裏面側における幅よりも観察面側における幅の方が広い略台形形状であり、スクリーン面に沿って多数並べて形成され、光を透過可能な単位プリズム形状（１２）と、前記断面において、スクリー
ン面に沿って前記単位プリズム形状と交互に形成され、光を吸収する光吸収部（１３）と、前記単位プリズム形状よりも裏面側に、前記単位プリズム形状の裏面とは間隔をあけて設けられ、前記単位プリズム形状を透過した映像光を反射する反射層（１５，２５）と、を備えた反射スクリーン（１０，２０）である。
請求項２の発明は、請求項１に記載の反射スクリーンにおいて、前記反射層（１５，２５）と前記単位プリズム形状（１２）の裏面との間に、光を透過可能であり、前記反射層と前記単位プリズム形状の裏面とを所定の間隔をあける間隔設定層（１４，２４）を有すること、を備えた反射スクリーン（１０，２０）である。
請求項３の発明は、請求項２に記載の反射スクリーンにおいて、前記間隔設定層（１４，２４）は、光の透過率が４０％以上であること、を特徴とする反射スクリーン（１０，２０）である。
請求項４の発明は、請求項２又は請求項３に記載の反射スクリーンにおいて、前記間隔設定層（１４）は、透明又は半透明の樹脂を用いて形成されること、を特徴とする反射スクリーン（１０）である。
請求項５の発明は、請求項２から請求項４までのいずれか１項に記載の反射スクリーンにおいて、前記間隔設定層（１４）の屈折率は、前記単位プリズム形状（１２）の屈折率よりも小さいこと、を特徴とする反射スクリーン（１０）である。
請求項６の発明は、請求項１から請求項５までのいずれか１項に記載の反射スクリーンにおいて、前記光吸収部（１３）は、前記単位プリズム形状（１２）よりも屈折率が小さいこと、を特徴とする反射スクリーン（１０，２０）である。
請求項７の発明は、請求項１から請求項６までのいずれか１項に記載の反射スクリーンにおいて、前記光吸収部は（１３）、光を吸収する微小ビーズを含むこと、を特徴とする反射スクリーン（１０，２０）である。
請求項８の発明は、請求項７に記載の反射スクリーンにおいて、前記光吸収部は（１３）、前記単位プリズム形状（１２）を形成する材料の屈折率よりも屈折率が低い樹脂に前記微小ビーズを混練することにより形成されていること、を特徴とする反射スクリーン（１０，２０）である。
請求項９の発明は、請求項１から請求項８までのいずれか１項に記載の反射スクリーンにおいて、前記反射層（１５）は、反射性塗料を用いて形成されていること、を特徴とする反射スクリーン（１０）である。
請求項１０の発明は、請求項１から請求項９までのいずれか１項に記載の反射スクリーンにおいて、前記反射層（２５）は、シート状の部材を用いて形成されていること、を特徴とする反射スクリーン（２０）である。
請求項１１の発明は、請求項１から請求項１０までのいずれか１項に記載の反射スクリーンにおいて、前記観察面側の表面（１６）には、アンチグレア処理、反射防止処理、帯電防止処理、ハードコート処理、防汚処理の少なくとも１つの処理が施されていること、を特徴とする反射スクリーン（１０，２０）である。
【発明の効果】
【０００７】
本発明によれば、以下の効果を奏することができる。
（１）反射スクリーンは、スクリーン面に対して直交する断面において、光を透過可能な単位プリズム形状と光を吸収する光吸収部とが、スクリーン面に沿って交互に形成され、単位プリズム形状よりも裏面側に、単位プリズム形状を透過した映像光を反射する反射層が、単位プリズム形状の裏面とは間隔をあけて設けられている。よって、吸収可能となる外光の反射スクリーンに対する入射角度域が広くなり、不要な外光をより吸収することができる。また、映像光を効率よく反射することができる。従って、コントラストが高く、高輝度であり、映り込みのない鮮明な画像を提供できる。
【０００８】
（２）間隔設定層は、光を透過可能であり、反射層と単位プリズム形状の裏面とを所定の間隔をあけるように設けられているので、間隔設定層として、反射層と単位プリズム形状
の裏面との間に積層するだけで、反射層と単位プリズム形状の裏面との間に確実に所定の間隔を設けることができ、また、形成が容易である。
【０００９】
（３）間隔設定層は、光の透過率が４０％以上であるので、映像光の光量を大幅に低下させることなく、観察者側へ戻すことができ、明るい映像を表示することができる。
【００１０】
（４）間隔設定層は、透明又は半透明の樹脂を用いて形成されるので、形成が容易である。また、反射層に入射及び反射された映像光の光量を大幅に低下させることなく明るい画像を表示できる。
【００１１】
（５）間隔設定層の屈折率は、単位プリズム形状の屈折率よりも小さいので、間隔設定層と単位プリズム形状との界面で、反射スクリーンに入射した不要な外光の屈折する角度が大きくなり、反射層で反射した不要な外光が光吸収部に吸収される割合が増加し、コントラスト向上効果を高めることができる。
【００１２】
（６）光吸収部は、単位プリズム形状よりも屈折率が小さいので、単位プリズム形状と光吸収部との境界面において、映像光を全反射することができ、反射損失を最小限とし、明るい映像を表示することができる。
【００１３】
（７）光吸収部は、光を吸収する微小ビーズを含むので、簡単かつ確実に、外光を吸収する効果が得られる。
【００１４】
（８）光吸収部は、単位プリズム形状を形成する材料の屈折率よりも屈折率が低い樹脂に微小ビーズを混練することにより形成されているので、単位プリズム形状と光吸収部との境界面において、映像光を全反射することができ、反射損失を最小限とし、明るい映像を表示することができる。また、裏面側に保護層等を設けることなく、簡単に微小ビーズを固定できる。
【００１５】
（９）反射層は、反射性塗料を用いて形成されているので、形成が容易である。
【００１６】
（１０）反射層は、シート状の部材を用いて形成されているので、貼り合わせるだけで高い反射率を有する反射層を簡単に設けることができる。
【００１７】
（１１）観察面側の表面には、アンチグレア処理、反射防止処理、帯電防止処理、ハードコート処理、防汚処理の少なくとも１つの処理が施されているので、使用環境に応じて適切な処理を選択することにより、より高品位な反射スクリーンとすることができる。
【発明を実施するための最良の形態】
【００１８】
本発明は、コントラストが高く、高輝度であって、映り込みのない鮮明な画像を得ることができる反射スクリーンを提供するという目的を、単位プリズム形状の裏面と反射層との間に、光を透過可能な間隔設定層を設け、単位プリズム形状の裏面と反射層との間に間隔を設けることにより実現した。
【実施例１】
【００１９】
図１は、本発明による実施例１の反射スクリーン１０を示す断面図である。
なお、図１は、説明のため、各部の寸法、形状等を適宜誇張して示している。また、図１は、室内照明Ｇ、映像源Ｌ、反射スクリーン１０等をまとめて模式的に示しているので、実際とは配置関係が異なり、各光線の入射角度等が後述の説明における大小関係と異なる部分が含まれている。
実施例１の反射スクリーン１０は、映像光を投影するプロジェクター光学エンジン（映
像源）Ｌを、スクリーンの使用状態におけるスクリーンの中央よりも下方に設置し、映像光を上方斜めに投射させる配置とし、環境光の殆どが、スクリーンの上方からスクリーンに入射することを考慮して開発されたスクリーンである。そして、下方からの映像光Ｌ１，Ｌ２は、効率よく観察者Ｏ側へ反射し、上方からの不要光Ｇ１，Ｇ２は、選択的に後述の光吸収部１３に吸収させることで、非常にコントラストの高いフロントプロジェクタ用反射スクリーンとしたものである。
図１では、スクリーンの使用状態における垂直方向の断面を示している。図１中の反射スクリーン１０において、右側が観察面側であり、左側が裏面側である。
反射スクリーン１０は、基材部１１、単位プリズム形状１２、光吸収部１３、間隔設定層１４、反射層１５等を有している。
【００２０】
基材部１１は、単位プリズム形状１２を形成するときに必要な基材となる部分であり、アクリル、ポリカーボネート、ポリエチレンテレフタレート等の樹脂製のシート又はフィルムから形成される光透過性を有する部分である。本実施例では、スクリーンの使用状態で観察面側となる表面にマット加工処理を施したポリエチレンテレフタレート樹脂製のフィルムを使用している。なお、この基材部１１には、必要に応じて所定の透過率に減じさせるようなグレー等の染料、顔料で着色（ティント）が施されていてもよい。
【００２１】
単位プリズム形状１２は、図１に示すように、その形状が裏面側における幅より観察面側における幅の方が広い略台形形状をしており、スクリーン面に沿って（図１では上下方向に）多数並べて形成されている。
図２は、実施例１の反射スクリーン１０の単位プリズム形状１２の具体的な形状を説明する図である。なお、図２では、スクリーンの使用状態での単位プリズム形状１２の垂直方向の断面を拡大して示してあり、説明を簡潔にするために、単位プリズム形状１２と光吸収部１３のみを示し、他の部分は省略してある。
単位プリズム形状１２は、図２に示すように、垂直方向の断面は台形形状であり、スクリーンの使用状態で上下対称な形状をしている。単位プリズム形状１２は、単位プリズム形状１２の間に形成される光吸収部１３との境界面となる斜面１２ａ、単位プリズム形状１２の裏面を形成し、台形の頂部となる上底面１２ｂ等の平面によって形成されている。
本実施例では、単位プリズム形状１２の斜面１２ａがスクリーン面の法線Ｈ１となす角度αは、９°であり、頂部の幅（上底面１２ｂの幅）Ｗ１は、２６μｍ、隣接する単位プリズム形状１２間に形成される溝部の底から頂部（面１２ｂ）までの高さＤ２は、１２０μｍ、観察面側の幅Ｗ２は、６５μｍ、単位プリズム形状１２の厚みＤ１は、１５０μｍである。
【００２２】
単位プリズム形状１２は、例えば、紫外線硬化型樹脂を基材部１１上に塗布し、型を当てつけた状態で紫外線を照射して硬化させることにより、上述の形状が賦型される。この単位プリズム形状１２の材料としては、紫外線硬化型樹脂に限らず、電離放射線硬化型樹脂等の光硬化型樹脂、例えば、アクリレート、エポキシアクリレート、シリコンアクリレート、シロキサン等の多官能単量体を主成分とする光架橋型の樹脂を用いることができる。ここで、電離放射線とは、電磁波又は荷電粒子線のうち、分子を重合、架橋し得るエネルギー量子を有するものを意味する。
本実施例では、屈折率１．５６である紫外線硬化型樹脂を基材部１１に滴下して金型を当て、紫外線を照射して硬化させることにより形成されている。
なお、単位プリズム形状１２は、紫外線硬化による形成ではなく、アクリル樹脂、ポリエチレンテレフタレート樹脂等を用いた熱溶融押し出し成型により行ってもよい。
【００２３】
図１に戻って、光吸収部１３は、スクリーン面に沿って単位プリズム形状１２と交互に並べて形成され、光を吸収する作用を有する部分である。本実施例では、光吸収部１３は、光を吸収する微小ビーズとして、平均粒径が６μｍである黒色顔料を含有する紫外線硬
化型樹脂（屈折率１．４９）をワイピング（スキージング）することにより、単位プリズム形状１２の間に形成されている。
なお、本実施例では、黒色顔料の平均粒径を６μｍとしたが、平均粒径は、１〜１０μｍ程度とすることが好ましい。それよりも小さいとワイピングによるかきとりが難しくなり、１０μｍを超えると単位プリズム形状１２の間の隙間への充填が困難になるからである。
【００２４】
間隔設定層１４は、後述の反射層１５と単位プリズム形状１２の裏面との間に設けられ、反射層１５と単位プリズム形状１２の裏面との間に所定の間隔をあける層であり、光を透過可能である。
間隔設定層１４は、単位プリズム形状１２と光吸収部１３が形成された面全体を覆うように、速乾性の透明樹脂をグラビアコーティングすることによって形成されている。本実施例では、間隔設定層１４は、屈折率１．４２のウレタン樹脂を用いて形成され、その厚さは２０μｍである。
なお、本実施例では、間隔設定層１４を形成する材料として、光の透過率が９５％であるウレタン樹脂を用いたが、これに限らず、光の透過率が４０％以上であるならば、アクリル樹脂、エポキシ樹脂等を用いてもよい。
【００２５】
反射層１５は、映像光を反射して観察面側へ戻す層であり、単位プリズム形状１２の裏面との間に間隔設定層１４を介することにより、単位プリズム形状１２の裏面とは間隔をあけて設けられている。
本実施例では、反射層１５は、反射スクリーン１０の裏面（間隔設定層１４の裏面）全体を覆うように、高反射性を有する白色塗料をグラビアコーティングすることにより形成され、その膜厚は２０μｍである。また、使用した白色塗料の反射率は、全光線の反射率がＲｔ＝８３％、拡散反射率がＲｄ＝７２％である。
【００２６】
なお、反射層１５の形成方法としては、グラビアリバースコート、スクリーン印刷、インクジェット方式による塗布、蒸着（アルミニウム、銀、クロム等、反射率の高い金属を用いることが望ましい）等の形成方法を用いることができる。
また、反射層１５の形成に使用する塗料としては、例えば、塗装後の表面がマットとなるつや消しの白色塗料、塗装後の表面の映り込みの大きい（テカリの強い）グロス白系の塗料、銀色系（メタリック）の塗料、マイカ（雲母）やビーズを適宜混入させた塗料等を使用してもよい。これらを適宜使い分けることにより、観察領域や輝度、光源の映り込み防止効果等を制御できる。
【００２７】
前面処理層１６は、アンチグレア処理、反射防止処理、帯電防止処理、ハードコート処理、防汚処理等の各種表面処理が施される層である。なお、この前面処理層１６に施す処理は、必要に応じて適宜選択すればよい。本実施例では、反射防止処理が施されている反射防止シートをラミネート加工することにより、前面処理層１６とした。
【００２８】
図３は、実施例１の反射スクリーン１０内での映像光及び外光の様子を模式的に示す図である。なお、説明を簡潔にするため、基材部１１と前面処理層１６とは省略して示してある。
実施例１の反射スクリーン１０では、図３に示すように映像源Ｌから投影される映像光Ｌ３は、単位プリズム形状１２内に入射し、光吸収部１３との境界面で全反射する。光吸収部１３は、単位プリズム形状１２を形成する材料よりも屈折率が小さく、光を吸収する微小ビーズとして黒色顔料を含有している樹脂によって形成されている。従って、この境界面において臨界角よりも大きな角度で入射する光は、全反射する。
そして、単位プリズム形状１２と光吸収部１３との境界面で全反射した映像光Ｌ３は、間隔設定層１４を透過して反射層１５に到達して反射され、その後さらに境界面で全反射
する等して観察可能な光線として観察者Ｏ側方向へ戻される。
【００２９】
一方、室内照明Ｇ等からの外光は、単位プリズム形状１２に入射し、一部は、光吸収部１３に入射して黒色顔料によって吸収され、一部は、単位プリズム形状１２と光吸収部１３との境界面で全反射する（光線Ｇ３）。
ここで、間隔設定層１４を設けないとき、全反射した外光は、反射層１５で反射し、観察者Ｏ側へ戻される（光線Ｇ３１）。このような光により、コントラストの低下や外光の映り込み等が生じ、画質の鮮明さが失われる。
しかし、間隔設定層１４を設けた本実施例の場合、単位プリズム形状１２と光吸収部１３との境界面で全反射した外光は、間隔設定層１４を透過して反射層１５に到達して反射され、光吸収部１３に入射して、黒色顔料により吸収される（光線Ｇ３２）。従って、反射スクリーン１０に入射した外光が観察者Ｏの観察位置に戻る割合を、非常に小さくすることができる。
【００３０】
なお、コントラスト向上の効果をさらに高める観点から、間隔設定層１４の屈折率は、本実施例のように、単位プリズム形状１２の屈折率よりも小さいことが好ましい。以下に、その理由を説明する。
図８は、間隔設定層１４付近での外光の様子を模式的に示す図である。図８では、前述の図３と同様に、基材部１１と前面処理層１６とは、省略して示してある。
ここで仮に、間隔設定層１４を単位プリズム形状１２と同様の屈折率で形成した場合、図８に示すように、反射スクリーン１０に入射し、間隔設定層１４に到達した不要な外光Ｇ４は、外光Ｇ４の入射角度によっては、間隔設定層１４と単位プリズム形状１２の界面では屈折せず、反射層１５で反射し、光吸収部１３の裏面側へ入射して吸収されることなく、光吸収部１３と単位プリズム形状１２との界面で全反射する等して、再び観察者側へ出射して（光線Ｇ４１）、コントラストの低下を招く場合があった。
【００３１】
しかし、単位プリズム形状１２よりも屈折率が小さい間隔設定層１４を設けた本実施例の反射スクリーン１０では、上述のように単位プリズム形状１２と同じ屈折率の間隔設定層を設けた場合には観察者側へ出射してしまう外光Ｇ４が、間隔設定層１４と単位プリズム形状１２との界面で屈折し、反射層１５で反射した後に、光吸収部１３の裏面側へ入射して吸収される（光線Ｇ４２）。
従って、間隔設定層の屈折率が単位プリズム形状１２の屈折率と略同様の値であった場合にも、不要な外光を吸収してコントラストを向上させる効果が期待できるが、本実施例のように、間隔設定層１４の屈折率を単位プリズム形状１２の屈折率より小さいものとすれば、単位プリズム形状１２の屈折率と略同じ屈折率の間隔設定層を設けた場合に比べ、不要な外光をより吸収し、非常にコントラストの高い鮮明な映像を表示できる反射スクリーン１０とすることができる。
【００３２】
（コントラストの評価）
ここで、本実施例の反射スクリーン１０と不図示の２つの比較例の反射スクリーンとを用いて、それぞれの反射スクリーンのコントラストを評価した。
比較例１の反射スクリーンは、本実施例の反射スクリーン１０と略同様であるが、間隔設定層１４が形成されておらず、単位プリズム形状と光吸収部とで形成される面の全面に反射層が形成されている反射スクリーンである。
比較例２の反射スクリーンは、軟質塩化ビニルによって形成された白色のシート状の部材の観察面側表面にマット加工が施された形態の反射スクリーンである。
【００３３】
図６は、コントラストを評価する輝度測定の様子を示す側面図である。
図７は、コントラストを評価する輝度測定の様子を示す上面図である。
本実施例の反射スクリーン１０、比較例１，比較例２の反射スクリーンのコントラスト
を評価するため、各反射スクリーンに映像源Ｌから光を投射し、輝度計Ｒを用いて、スクリーン面に対して垂直でありスクリーン面の水平方向に平行な面内で、数箇所測定位置を変え、各反射スクリーンの輝度を測定し、コントラスト比を求めた。
ここで、コントラスト比とは、映像源Ｌが白を再現する光を投射したときの反射スクリーンの輝度（Ｗ）と、映像源Ｌが黒を再現する光を投射したときの反射スクリーンの輝度（Ｂ）との比（Ｗ／Ｂ）である。このコントラスト比が大きいほど、コントラストが高く、鮮明な画像となり、この比が低いほど、コントラストが低く、白っぽい不鮮明な画像となる。
【００３４】
測定に使用した本実施例の反射スクリーン１０及び比較例１、比較例２の反射スクリーンは、スクリーンの使用状態での垂直方向の大きさが９０ｃｍ、水平方向の大きさが１２０ｃｍであり、壁面から６０ｃｍ離した位置に設置された。
映像源Ｌは、本実施例の反射スクリーン１０、比較例１，比較例２の反射スクリーンのスクリーン面から、水平方向に２３０ｃｍ離れた位置に固定され、光は各反射スクリーンの中央より１５ｃｍ下方となる位置Ｐに対して垂直に（映像源Ｌから水平方向に）投射される。なお、本測定に使用した映像源Ｌは、ＥＭＰＴＷ２００Ｈ（セイコーエプソン株式会社製）であり、投射する光束は１５００ｌｍである。
【００３５】
輝度計Ｒは、各スクリーンのスクリーン面から１７０ｃｍ離れ、スクリーン面の中央より下方に設けられた位置Ｐを通る法線Ｈｐと、位置Ｐと輝度計Ｒとを通る直線がなす角度（以下、観察角度とする）が、５°，１５°，３０°，４５°，６０°，７５°となる位置で輝度を測定した。本測定に使用した輝度計Ｒは、ＬＳ１１０（ミノルタ株式会社製）である。なお、映像源Ｌ，輝度計Ｒ，位置Ｐは、床面からの高さがともに１００ｃｍであり、床面からの高さが等しい同一平面内に配置されている。
測定は、床面からの高さが１００ｃｍでの照明（外光源）Ｇによる明るさ（照度）が１０００ｌｘである室内で行われ、床面から天井までの距離は３００ｃｍである。
【００３６】
図４は、実施例１の反射スクリーン１０と比較例１及び比較例２の反射スクリーンのコントラストの評価結果を示す図である。縦軸はコントラスト比の値であり、横軸は観察角度である。
図４に示すように、比較例２の反射スクリーンは、各観察角度において、そのコントラストは低く、不鮮明な画質であった。
比較例１の反射スクリーンは、観察角度５°では、比較例２の反射スクリーンに比べて約２．８倍の高いコントラストであるが、観察角度１５°以上では、比較例２の反射スクリーンの約２倍程度のコントラストであった。
実施例１の反射スクリーン１０は、観察角度５°では、比較例２の反射スクリーンに比べて約４．６倍、比較例１の反射スクリーンに比べて約１．６倍となる高いコントラストであり、観察角度が大きくなるにつれてコントラストは下がるが、観察角度６０°までは、比較例１の反射スクリーンと比べても高いコントラストを維持している。
このことから、実施例１の反射スクリーンでは、より広い視野角方向で、高いコントラストを実現できると言える。
【００３７】
以上示したように、本実施例によれば、単位プリズム形状１２の裏面と反射層１５との間に間隔設定層１４を設け、単位プリズム形状１２の裏面と反射層１５との間に間隔を設けたことにより、コントラストが高く、高輝度であり、映り込みのない高品位な画像を得ることができる。
また、実施例１の反射スクリーン１０は、容易に製造することができ、生産コストを低く抑えることができる。
【実施例２】
【００３８】
図５は、本発明による実施例２の反射スクリーン２０を説明する断面図である。
実施例２の反射スクリーン２０は、実施例１に示した反射スクリーン１０と略同様の形状であるが、反射層２５はシート状の部材であり、間隔設定層２４は粘着材によって形成されている点が実施例１に示した反射スクリーン１０とは異なる。よって、前述した実施例１と同様の機能を果たす部分には、同一の符号を付して重複する説明を適宜省略する。
【００３９】
反射層２５は、基材となる反射層基材部２５ａに反射性塗料を塗布し、反射性塗膜２５ｂが形成された、厚さ２０μｍのシート状（フィルム状）の部材である。なお、これに限らず、反射性顔料を含む樹脂により形成されたシート状の部材等を用いてもよい。
間隔設定層２４は、単位プリズム形状１２の裏面と反射層２５との間に所定の間隔をあける層である。本実施例では、間隔設定層２４は、光の透過率が４０％以上であるアクリル樹脂系の粘着材によって形成され、その厚さは１０μｍであり、その屈折率は１．５５である。
なお、本実施例では、間隔設定層２４及び反射層２５は、予め、間隔設定層２４が反射層２５の反射性塗膜２５ｂ上に形成された反射層付き粘着シートとして提供されているものを用いている。
【００４０】
本実施例によれば、実施例１に示した反射スクリーン１０と同様に、コントラストの向上、映り込みの低減等の効果が得られ、高画質の映像を得ることができる。
また、本実施例によれば、反射層２５及び間隔設定層２４は、反射層付き粘着シートを反射スクリーン２０の裏面に貼付するだけで、高い反射率を有する反射層を容易に形成することができる。
【００４１】
（変形例）
以上説明した実施例に限定されることなく、種々の変形や変更が可能であって、それらも本発明の範囲内である。
（１）各実施例において、単位プリズム形状１２の裏面と反射層１５，２５との間に間隔設定層１４，２４を設ける例を示したが、これに限らず、例えば、単位プリズム形状１２の裏面と反射層との間に空間を設けた形態としてもよい。この場合、この空間を保つために、単位プリズム形状の裏面と反射層との間に、部分的にスペーサを挟み込んで設けてもよい。
【００４２】
（２）各実施例において、単位プリズム形状１２は、平面を組み合わせた形状である例を示したが、これに限らず、例えば、その一部又は裏面を除く全てが曲面を組み合わせた形状となっていてもよい。また、単位プリズム形状とせずに、裏面側及び観察面側の幅が等しい形状である単なる光透過部であってもよい。
【００４３】
（３）各実施例において、単位プリズム形状１２は、スクリーンの使用状態の上下方向において、上下対称である例を示したが、これに限らず、上下非対称のものを用いてもよい。
【００４４】
（４）実施例２において、間隔設定層２４及び反射層２５は、予め、間隔設定層２４が反射層２５の反射性塗膜２５ｂ上に形成された反射層付き粘着シートを用いる例を示したが、これに限らず、例えば、単位プリズム形状１２及び光吸収部１３によって形成された面に、粘着材を塗布して間隔設定層２４を形成し、その上に、反射層２５を貼付してもよい。
【００４５】
（５）各実施例において、間隔設定層１４，２４は、例えば、拡散材を含有する樹脂等を用いて形成する等して、光拡散作用を有していてもよい。光拡散作用を有する間隔設定層とすることにより、視野角の改善を図ることができる。この視野角改善の効果は、反射層
により拡散反射した場合と同様の効果である。
【００４６】
（６）各実施例において、単位プリズム形状１２及び光吸収部１３は、スクリーン使用状態において、水平方向に同一断面形状で延在し、垂直方向に多数並んでいる例を示したが、これに限らず、例えば、外光及び映像光の並ぶ方向が水平方向であれば、それに合わせて９０°回転した形態としてもよい。
【００４７】
（７）各実施例において、光吸収部１３は、光を吸収する微小ビーズである黒色顔料を含有する紫外線硬化型樹脂により形成される例を示したが、これに限らず、例えば、光を吸収する黒色ビーズ等の微小ビーズを単位プリズム形状１２の間の溝部分に充填して形成してもよい。その場合、黒色ビーズを固定するために裏面側に紫外線硬化型樹脂等を用いて保護層等を形成してもよい。このとき、保護層の厚さを十分にとれば、保護層が間隔設定層の機能を果たすことができる。
【００４８】
（８）各実施例において、固定式の反射スクリーンの例を挙げて説明したが、これに限らず、例えば、不使用時に巻き上げて収納可能な巻上げ式としてもよい。
【図面の簡単な説明】
【００４９】
【図１】本発明による実施例１の反射スクリーン１０を示す断面図である。
【図２】実施例１の反射スクリーン１０の単位プリズム形状１２の具体的な形状を説明する図である。
【図３】実施例１の反射スクリーン１０内での映像光及び外光の様子を模式的に示す図である。
【図４】実施例１の反射スクリーン１０及び比較例１、比較例２の反射スクリーンのコントラストの評価結果を示す図である。
【図５】本発明による実施例２の反射スクリーン２０を示す断面図である。
【図６】コントラストを評価する輝度測定の様子を示す側面図である。
【図７】コントラストを評価する輝度測定の様子を示す上面図である。
【図８】間隔設定層１４付近での外光の様子を模式的に示す図である。
【符号の説明】
【００５０】
１０，２０    反射スクリーン
１１    基材部
１２    単位プリズム形状
１３    光吸収部
１４，２４    間隔設定層
１５，２５    反射層
１６    前面処理層
Ｌ    映像源
【図１】
2007241263.tif 000003
【図２】
2007241263.tif 000004
【図３】
2007241263.tif 000005
【図４】
2007241263.tif 000006
【図５】
2007241263.tif 000007
【図６】
2007241263.tif 000008
【図７】
2007241263.tif 000009
【図８】
2007241263.tif 000010